【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
飲料缶端部（１０，１１０）であって、
継ぎ合わせによって缶本体（８）に接合できる周辺カール（１２）と、
前記カールの半径方向内側の壁構造（１４）と、
中心パネル（１８）と、
主ヒンジ（３０）及び主断裂パネル（２８）を定め、破断時に開いて注ぎ口を形成できる主スコア線（２６）と、
前記主スコア線を破断するように前記主断裂パネルの一部に接触するノーズ（７２）と、本体（７４）と、前記ノーズの反対側に形成されユーザによって把持されるように構成されたヒール部（７６）とを含み、リベット（２２）によって前記中心パネルに結合されたタブ（７０）と、
通気部（４０，１４０）と、
を備え、前記通気部は、
通気部スコア線（４２，１４２）であって、通気部断裂パネル（４４，１４４）と、前記通気部スコア線の両端部のほぼ間に位置する通気部ヒンジ（４６，１４６）とを定める前記通気部スコア線と、
前記通気部断裂パネル上に位置し、ボタン側壁（５４）と、該ボタン側壁を前記通気部断裂パネルに融合させる湾曲した移行部（５２）とを含む、上向きに突出するボタン（５０，１５０）と、
を含み、
前記通気部スコア線は、前記タブの前記ヒール部から前記ボタンに伝わる下向きの力によって前記通気部スコア線が破断するように、前記ボタン上に位置し、或いは前記通気部スコア線が前記ボタン側壁に最も近くなる地点で測定して前記ボタン側壁から０．０２０インチ（０．５０８ｍｍ）以下の距離Ｄ３又はＤ１３を有し、
これにより、前記ヒール部を持ち上げることによる前記タブの作動によって前記主スコア線を破断することができ、前記タブを押し下げることによる前記タブの作動によって前記通気部スコア線を破断することができる、
ことを特徴とする飲料缶端部。
【請求項２】
前記ボタンは、前記中心パネルの一部に融合する半径に従うボタン側壁を含み、
前記通気部断裂パネルは、
通気部中心線ＣＬに沿ったボタン中心から前記通気部スコア線の横方向端部までの寸法Ｘと、
前記ボタン中心から前記通気部ヒンジまでの寸法Ｙと、
前記ボタン中心から、前記ボタンに最も近い前記通気部スコア線上の地点である前記通気部スコア線の近位点までの寸法Ｚと、
を定め、
前記寸法Ｘは、前記寸法Ｚよりも大きく５Ｚ未満であり、前記寸法Ｙは、０．５Ｚよりも大きく３Ｚ未満である、
請求項１に記載の飲料缶端部。
【請求項３】
前記タブは、タブビードによる前記ボタンへの初期接触が、前記ボタン上の初期接点である位置において生じ、その後の前記タブビードによる前記ボタンへの接触時に、前記通気部断裂パネルが前記通気部ヒンジを中心に枢動するにつれて、前記ボタン上を前記初期接点から後方に移動するように構成される、
請求項１または請求項２に記載の飲料缶端部。
【請求項４】
前記中心パネルに形成された通気凹部をさらに備え、前記通気部断裂パネルは、前記通気パネル凹部内に位置する、
請求項１から請求項３のいずれか１項に記載の飲料缶端部。
【請求項５】
前記距離Ｄ３又はＤ１３は、−０．０１０インチ（−０．２５４ｍｍ）以上、好ましくは、−０．００６インチ（−０．１５２４ｍｍ）〜０．０１５インチ（０．３８１ｍｍ）、より好ましくは、０．０００インチ（０ｍｍ）〜０．００６インチ（０．１５２４ｍｍ）であり、及び／又は、前記通気部ヒンジは、前記スコア線の破断が前記通気部断裂パネルの周囲を二方向に伝播して前記通気部ヒンジに至るように配向され、及び／又は、前記通気部スコア線は、前記ボタンの中心線から約０．０６０（１．５２４ｍｍ）インチ〜約０．１０５インチ（２．６６７ｍｍ）に位置する、
請求項１から４のいずれか１項に記載の飲料缶端部。
【請求項６】
前記湾曲した移行部の半径は、約０．００５インチ（０．１２７ｍｍ）〜約０．０２０インチ（０．５０８ｍｍ）、好ましくは、約０．００７５インチ（０．１９０５ｍｍ）〜約０．０１１５インチ（０．０２９２１ｍｍ）、より好ましくは、約０．００９５インチ（０．２４１３ｍｍ）であり、及び／又は、前記ボタンは、約０．１０インチ（２．５４ｍｍ）〜約０．１８インチ（４．５７２ｍｍ）、好ましくは、約０．１１５インチ（２．９２１ｍｍ）〜約０．１５インチ（３．８１ｍｍ）、より好ましくは、約０．１３０インチ（３．３０２ｍｍ）の直径を有する、
請求項１から４のいずれか１項に記載の飲料缶端部。
【請求項７】
前記ボタン側壁に最も近い前記通気部スコア線の位置は、前記通気部ヒンジに対向する、及び前記通気部ヒンジに対向しない、のうちの１つであり、及び／又は、前記通気部ヒンジは、前記リベットに対向する、及び前記ボタンの前記リベットに近接する側に存在する、のうちの１つである、
請求項１から４のいずれか１項に記載の飲料缶端部。
【請求項８】
前記タブは、前記ボタンに接触するように構成された接触要素を有し、前記タブの前記接触要素は、選択的に、下向きに突出するビードであり、選択的に、前記タブビードは、細長く、前記通気部スコア線の破断時に形成される通気開口部に前記タブビードが入り込めるようにサイズ決めされる、及び前記リベットの中心と前記通気ボタンとの間の距離とほぼ等しい半径で湾曲する、のうちのいずれかである、
請求項１から４のいずれか１項に記載の飲料缶端部。
【請求項９】
前記通気部スコア線は、前記タブに下向きの力が加わったことに応答して、最初に前記ボタン側壁に最も近い地点で破断し、選択的に、前記タブは、タブビードによる前記ボタンへの初期接触が、前記通気部スコア線が前記ボタン側壁に最も近くなる箇所に近接する前記ボタン上の位置で生じるように構成され、選択的に、前記タブ及び前記ボタンは、前記初期接触の後に、その後の前記タブビードによる前記ボタンへの接触が、前記通気部断裂パネルが前記通気部ヒンジを中心に枢動するにつれて、前記ボタン上を前記初期接点から後方に移動するように構成される、
請求項１から４のいずれか１項に記載の飲料缶端部。
【請求項１０】
前記寸法Ｘは、１．２Ｚよりも大きく３Ｚ未満であり、寸法Ｙは、０．７５Ｚよりも大きく２Ｚ未満であり、好ましくは、前記寸法Ｙは、０．９Ｚよりも大きく１．５Ｚ未満である、
請求項２に記載の飲料缶端部。
【請求項１１】
前記寸法Ｚは、０．０６２５（１．５８７５ｍｍ）〜０．０９０インチ（２．２８６ｍｍ）であり、好ましくは、０．０６５（１．６５１ｍｍ）〜０．０８５インチ（２．１５９ｍｍ）であり、より好ましくは、０．０６８（１．７２７２ｍｍ）〜０．０７８インチ（１．９８１２ｍｍ）であり、及び／又は、前記寸法Ｚは、０．２Ｘ〜１Ｘであり、前記寸法Ｚは、０．５Ｙ〜１．３３Ｙであり、好ましくは、前記寸法Ｚは、０．３３Ｘ〜０．８３Ｘであり、前記寸法Ｚは、０．６７Ｙ〜１．１Ｙであり、及び／又は、前記寸法Ｚは、ボタン直径Ｄ１の０．５〜０．８１であり、好ましくは、０．５５Ｄ１〜０．７Ｄ１であり、より好ましくは、約０．６Ｄ１である、
請求項２に記載の飲料缶端部。
【請求項１２】
前記中心パネルは、主凹部と、主スコア線、リベット及び前記主凹部に形成された通気パネル凹部のうちの各１つとをさらに含み、及び／又は、前記通気パネル凹部の外周は、前記主凹部の外周に正接し、及び／又は前記主凹部は、長手方向軸を有し、前記主凹部の前記長手方向軸に関して非対称である、
請求項１から４のいずれか１項に記載の飲料缶端部。
【請求項１３】
前記通気ボタンは、前記タブの外側に配置され、前記タブは、前記主スコア線を作動させるように位置付けられ、前記通気パネル凹部は、前記リベットから離れた前記中心パネルの周縁部に近接して配置され、これによって前記通気部は、通気性を高めるように配置される、
請求項１２に記載の飲料缶端部。
【請求項１４】
前記通気部ヒンジは、前記細長い通気部スコア線の長軸に平行である、及び前記通気部ヒンジは、前記細長い通気部スコア線の長軸に垂直である、のうちのいずれかである、
請求項１から４のいずれか１項に記載の飲料缶端部。
【請求項１５】
炭酸飲料又は加圧飲料を保持する飲料缶を開封して通気する方法であって、前記缶は、絞りしごき加工された缶本体（８）と、該缶本体に継ぎ合わされた端部（１０）とを含み、該端部は、請求項１から１４のいずれか１項に記載の構造を有し、前記方法は、
（ｉ）前記タブ（７０）を作動させて前記主断裂パネル（２８）に押し付け、前記主スコア線（２６）を破断させることによって注ぎ口を形成するステップと、
（ｉｉ）前記タブが前記通気ボタン（５０）に接触できるように前記タブを枢動させるステップと、
（ｉｉｉ）前記枢動させるステップ後に、前記タブに下向きの力を加えて前記タブの下面を通じて初期接点において前記ボタンに力を与え、その後に下向きの力を加えて前記通気部スコア線（４２）を破断させ、前記タブによる前記ボタンへの前記接触が、前記通気部断裂パネル（４４）が前記通気部ヒンジ（４６）を中心に枢動するにつれて、前記ボタン上を前記初期位置から後方に移動するようにして前記通気部（４０）を開放するステップと、
を含むことを特徴とする方法。
【手続補正２】
【補正対象書類名】明細書
【補正対象項目名】００６７
【補正方法】変更
【補正の内容】
【００６７】
飲料缶端部の複数の特徴部、及び缶端部と缶本体の組み合わせについて説明した。本発明は、本明細書で説明した特徴部のいずれかの組み合わせに限定されるものではない。むしろ、特許請求の範囲は、これらの適切な全範囲に基づいて解釈すべきである。機能の説明の理解は、端部を形成して継ぎ合わせ、端部に凹部、ビード及びスコア線を形成する技術などの、アルミニウム飲料缶の技術に精通している人物に依拠する。
本発明は、以下のような態様であってもよい。
（１）  飲料缶端部であって、
継ぎ合わせによって缶本体に接合できる周辺カールと、
前記カールの半径方向内側の壁構造と、
中心パネルと、
主ヒンジ及び主断裂パネルを定め、破断時に開いて注ぎ口を形成できる主スコア線と、  前記主スコア線を破断するように前記主断裂パネルの一部に接触するノーズと、本体と、前記ノーズの反対側に形成されユーザによって把持されるように構成されたヒール部とを含み、リベットによって前記中心パネルに結合されたタブと、
通気部スコア線と、
を備え、前記通気部は、
通気スコア線であって、通気部断裂パネルと、前記通気スコア線の両端部のほぼ間に位置する通気部ヒンジとを定める前記通気部スコア線と、
前記通気部断裂パネル上に位置する上向きに突出するボタンと、
を含み、前記飲料缶端部は、
前記中心パネルに形成された通気凹部をさらに備え、前記通気部断裂パネルは前記通気パネル凹部内に位置し、
これにより、前記ヒール部を持ち上げることによる前記タブの作動によって前記主スコア線を破断することができ、前記タブを押し下げることによる前記タブの作動によって前記通気部スコア線を破断することができる、
ことを特徴とする飲料缶端部。
（２）  前記通気部スコア線は、前記タブの前記ヒール部から前記ボタンに伝わる下向きの力によって前記通気部スコア線が破断するように、前記ボタン上に位置し、或いは前記通気部スコア線が前記ボタン側壁に最も近くなる地点で測定して前記ボタン側壁から０．０２０インチ以下の距離Ｄ３又はＤ１３を有する、飲料缶端部。
（３）前記断裂パネルは、
通気部中心線ＣＬに沿ったボタン中心から前記通気部スコア線の横方向端部までの寸法Ｘと、
前記ボタン中心から前記通気部ヒンジまでの寸法Ｙと、
前記ボタン中心から、前記ボタンに最も近い前記通気部スコア線上の地点である前記通気部スコア線の近位点までの寸法Ｚと、
を定め、前記寸法Ｘは、前記寸法Ｚよりも大きく５Ｚ未満であり、前記寸法Ｙは、０．５Ｚよりも大きく３Ｚ未満である、飲料缶端部。